(57)【要約】【課題】金属製の外装カバーを用いた電子機器であっても、良好なアンテナ性能を確保しつつ、優れた意匠性と、薄型化及び構造の簡略化を実現する仕組みを提供する。【解決手段】電子機器は、正面カバー２ａと、上面カバー４と、基板６にアンテナ１０及び無線通信回路部７が搭載される無線通信モジュール５と、無線通信モジュール５と正面カバー２ａとの間に配置されるメイン基板８とを備える。無線通信モジュール５は、基板６のアンテナ１０の搭載面が正面カバー２ａに対向するように配置されるとともに、アンテナ１０が無線通信回路部７より上面カバー４側に接近して配置される。メイン基板８には、アンテナ１０がメイン基板８と機器本体の厚さ方向に重ならないようにするための段差部８ａが形成され、正面カバー２ａの内側面には、段差部８ａが形成された空間で上面カバー４が嵌合により固定される樹脂製の固定部材２１が取り付けられる。【選択図】図４
2014127736.tif 000002
【特許請求の範囲】
【請求項１】
機器本体の厚さ方向の一方の面の外装を形成する導電性を有する第１のカバーと、
前記機器本体の高さ方向、又は幅方向の一方の面の外装を形成する絶縁性を有する第２のカバーと、
前記機器本体の内部に配置され、基板に、アンテナ及び無線通信回路部が搭載される無線通信モジュールと、
前記機器本体の内部において、前記無線通信モジュールと前記第１のカバーとの間に配置され、前記第１のカバーに対して対向する板状の電子部品と、を備え、
前記無線通信モジュールは、前記基板の前記アンテナ及び前記無線通信回路部の搭載面が前記第１のカバーと対向するように配置されるとともに、前記アンテナが前記無線通信回路部より前記第２のカバーの側に接近して配置され、
前記電子部品には、前記無線通信モジュールの前記アンテナが前記電子部品と前記機器本体の厚さ方向に重ならないようにするための段差部が形成され、
前記第１のカバーの内側面には、前記段差部が形成された空間で前記第２のカバーが嵌合により固定される絶縁性を有する固定部材が取り付けられている、ことを特徴とする電子機器。
【請求項２】
前記電子部品は、メイン基板であることを特徴とする請求項１に記載の電子機器。
【請求項３】
前記メイン基板は、発熱源が実装された面が前記無線通信モジュールに対向して配置されることを特徴とする請求項２に記載の電子機器。
【発明の詳細な説明】
【技術分野】
【０００１】
本発明は、無線通信モジュールを搭載したデジタルカメラ等の電子機器に関する。
【背景技術】
【０００２】
デジタルカメラなどの電子機器においては、機器の外観品位や質感、強度を高めるために、金属製の外装カバーが使用される場合がある。この場合、無線通信機能を有する電子機器においては、内蔵されたアンテナを金属カバーで覆ってしまうと、アンテナからの電波が遮蔽されてしまい、外部機器との無線通信を行う事ができなくなる。
【０００３】
そこで、アンテナを搭載した無線通信モジュールを、機器本体の側面を形成する外装カバーに対してアンテナが対向する様に傾けて近接配置し、アンテナを覆うカバーを樹脂製とした技術が提案されている（特許文献１）。
【０００４】
また、金属製の外装カバーに対して進退可能な非金属性の可動部にアンテナを搭載し、アンテナ使用時には、可動部を外装カバーから突出させることで、アンテナを外装カバーから遠ざけるようにした技術が提案されている（特許文献２）。
【先行技術文献】
【特許文献】
【０００５】
【特許文献１】特開２００７−６０２３７号公報
【特許文献２】特開２００７−９４３９２号公報
【発明の概要】
【発明が解決しようとする課題】
【０００６】
ところで、上記特許文献１では、アンテナの面積に対して十分な大きさの樹脂製カバーを設ける必要があるため、金属製の外装カバーの一部に大きな樹脂製カバーが機器本体の側面から突出して配置され、意匠性を損なうことになる。また、無線通信モジュールを、機器本体の側面を形成する外装カバーに対してアンテナが対向する様に配置しているため、無線通信モジュールが電子機器の薄型化を妨げる原因となる。
【０００７】
一方、上記特許文献２では、可動部に搭載されたアンテナを機器本体に対して進退可能に接続する必要があるため、構造が複雑化する。また、アンテナを配置する部分に十分なスペースが確保できないため、アンテナと無線通信回路を一枚の基板に搭載し一体化した無線通信モジュールを用いることが難しい。したがって、アンテナと無線通信回路を搭載した基板とを別体で構成する必要があり、部品点数の増加や構造が複雑化する問題がある。
【０００８】
そこで、本発明は、金属製の外装カバーを用いた電子機器であっても、良好なアンテナ性能を確保しつつ、優れた意匠性と、薄型化及び構造の簡略化を実現する仕組みを提供することを目的とする。
【課題を解決するための手段】
【０００９】
上記目的を達成するために、本発明の電子機器は、機器本体の厚さ方向の一方の面の外装を形成する導電性を有する第１のカバーと、前記機器本体の高さ方向、又は幅方向の一方の面の外装を形成する絶縁性を有する第２のカバーと、前記機器本体の内部に配置され、基板に、アンテナ及び無線通信回路部が搭載される無線通信モジュールと、前記機器本体の内部において、前記無線通信モジュールと前記第１のカバーとの間に配置され、前記第１のカバーに対して対向する板状の電子部品と、を備え、前記無線通信モジュールは、前記基板の前記アンテナ及び前記無線通信回路部の搭載面が前記第１のカバーと対向するように配置されるとともに、前記アンテナが前記無線通信回路部より前記第２のカバーの側に接近して配置され、前記電子部品には、前記無線通信モジュールの前記アンテナが前記電子部品と前記機器本体の厚さ方向に重ならないようにするための段差部が形成され、前記第１のカバーの内側面には、前記段差部が形成された空間で前記第２のカバーが嵌合により固定される絶縁性を有する固定部材が取り付けられている、ことを特徴とする。
【発明の効果】
【００１０】
本発明によれば、金属製の外装カバーを用いた電子機器であっても、良好なアンテナ性能を確保しつつ、優れた意匠性と、薄型化及び構造の簡略化を実現することができる。
【図面の簡単な説明】
【００１１】
【図１】本発明の電子機器の実施形態の一例であるデジタルカメラを正面側から見た外観斜視図である。
【図２】図１に示すデジタルカメラの分解斜視図である。
【図３】無線通信モジュールの斜視図である。
【図４】無線通信モジュール、メイン基板、上面カバー、及び正面カバーの関係を示す縦断面図である。
【発明を実施するための形態】
【００１２】
以下、本発明の実施形態の一例を図面を参照して説明する。
【００１３】
図１は本発明の電子機器の実施形態の一例であるデジタルカメラを正面側から見た外観斜視図、図２は図１に示すデジタルカメラの分解斜視図、図３は無線通信モジュールの斜視図である。
【００１４】
図１及び図２に示すように、本実施形態のデジタルカメラは、正面カバー２ａ、背面カバー２ｂ、側面カバー２ｃ、及び上面カバー４等によりカメラ本体１の外装を形成している。正面カバー２ａには、開口部２ｄが形成され、開口部２ｄには、レンズ鏡筒３が露出している。
【００１５】
本実施形態では、正面カバー２ａ及び背面カバー２ｂが金属製とされ、上面カバー４、及び側面カバー２ｃが樹脂製とされている。ここで、カメラ本体１は、本発明の機器本体の一例に相当し、正面カバー２ａは、本発明の機器本体の厚さ方向の一方の面の外装を形成する導電性を有する第１のカバーの一例に相当する。また、上面カバー４は、本発明の機器本体の高さ方向、又は幅方向の一方の面の外装を形成する絶縁性を有する第２のカバーの一例に相当する。
【００１６】
図２に示すように、カメラ本体１の内部で正面カバー２ａと背面カバー２ｂとの間には、正面側から背面側に向けて順番に、メイン基板８、無線通信モジュール５、及びメインシャーシ１４が配置されている。ここで、メイン基板８は、本発明の板状の電子部品の一例に相当する。
【００１７】
無線通信モジュール５は、カメラ本体１を正面側から見て左側上部に配置されており、図３に示すように、上下方向に長い矩形状のプリント基板６に、チップアンテナ１０及び無線通信回路部７が搭載されている。
【００１８】
無線通信回路部７は、シールドケースにより覆われて、プリント基板６の中央部に配置され、プリント基板６の上部左側に上面カバー４に接近して配置されたチップアンテナ１０と配線部１１により電気的に接続される。
【００１９】
プリント基板６の下部には、無線通信モジュール５を制御するメイン基板８に接続するためのコネクタ９が実装され、コネクタ９の側部には、ビス止め用穴１３が形成されている。また、プリント基板６の無線通信回路部７とチップアンテナ１０との間には、位置決め用穴１２が形成されている。
【００２０】
図４は、無線通信モジュール５、メイン基板８、上面カバー４、及び正面カバー２ａの関係を示す縦断面図である。
【００２１】
図４に示すように、無線通信モジュール５は、プリント基板６のチップアンテナ１０及び無線通信回路部７の搭載面が金属製の正面カバー２ａと対向するように配置される。また、チップアンテナ１０は、無線通信回路部７より樹脂製の上面カバー４側に接近して配置される。
【００２２】
無線通信モジュール５は、金属製のメインシャーシ１４に対してビス止め用穴１３で不図示のビスにより固定されて、グランド接続される。ここで、メインシャーシ１４により無線通信モジュール５を支持するのはビス止め用穴１３の周辺のみであり、その他の部分は、樹脂製の部材によって支持される。
【００２３】
位置決め用穴１２に係合するボスも樹脂製の部材により形成されている。これにより、チップアンテナ１０の近傍にアンテナ特性に影響を与える金属製の部品を配置することなく、無線通信モジュール５をカメラ本体１に位置決め固定している。
【００２４】
メイン基板８は、無線通信モジュール５と正面カバー２ａと間に配置される。メイン基板８には、無線通信モジュール５の制御やその他の制御を行うためのメインＩＣ（不図示）、及び無線通信モジュール５との接続を行うためのメインコネクタ（不図示）が無線通信モジュール５と対向する面に実装されている。
【００２５】
これにより、カメラ動作時の発熱源であるメインＩＣ、及び無線通信モジュール５の発熱源である無線通信回路部７を正面カバー２ａから離して配置することができ、カメラの外装表面温度の上昇が抑えられて操作者に違和感を与えるのを防止することができる。
【００２６】
図２に示すように、無線通信モジュール５とメイン基板８とは、フレキシブルプリント基板１７により電気的に接続される。
【００２７】
フレキシブルプリント基板１７の一端には、端子部１８が設けられ、端子部１８は、無線通信モジュール５のコネクタ９に挿入されて電気的に接続される。また、フレキシブルプリント基板１７の他端には、コネクタ１９が設けられ、コネクタ１９は、メイン基板８のメインコネクタに嵌合されて電気的に接続される。
【００２８】
メイン基板８は、カメラ本体１に固定される。ここで、メイン基板８には、図２及び図４に示すように、メイン基板８の基板面が無線通信モジュール５のチップアンテナ１０にカメラ本体１の厚さ方向に重ならないように、段差部８ａが形成されている。
【００２９】
これにより、チップアンテナ１０からの電界がメイン基板８の導体層に結合しないようにすることができ、アンテナ性能の劣化を防止することができる。
【００３０】
また、上面カバー４には、正面カバー２ａ側に延びる樹脂製のリブ２０が一体に形成され、正面カバー２ａの内側面の上部には、リブ２０の下面側に係合するリブ２２が一体に形成された樹脂製の固定部材２１が接着等により取り付けられている。
【００３１】
そして、段差部８ａが形成された空間で正面カバー２ａの上部と固定部材２１のリブ２２との間に、上面カバー４のリブ２０を嵌め込むことで、正面カバー２ａと上面カバー４とが固定される。
【００３２】
このように、本実施形態では、チップアンテナ１０のアンテナ性能に影響を及ぼさない樹脂製の固定部材２１により、段差部８ａが形成された空間を利用して上面カバー４と正面カバー２ａとを固定する。これにより、省スペースで互いのカバー４，２ａの強固な固定が可能となる。
【００３３】
また、金属製の正面カバー２ａに影響を受けることなく、樹脂製の上面カバー４を介してチップアンテナ１０により電波を送受信することができるので、金属製の正面カバー２ａを無線通信モジュール５に接近して配置することが可能となる。
【００３４】
また、チップアンテナ１０を覆う上面カバー４がカメラ本体１の上面から突出して配置されることがないため、カメラの意匠性を低下させることがない。更には、無線通信モジュール５のプリント基板６の板厚方向とカメラ本体１の厚さ方向が略一致するため、金属製の正面カバー２ａを無線通信モジュール５に接近して配置できることと相まってカメラの薄型化が可能となる。
【００３５】
以上説明したように、本実施形態では、金属製の外装カバーを用いたデジタルカメラであっても、チップアンテナ１０の良好なアンテナ性能を確保しつつ、優れた意匠性と、薄型化及び構造の簡略化を実現することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【００３７】
例えば、上記実施形態では、電子機器としてデジタルカメラを例示したが、これに限定されず、デジタルカメラ以外の撮像装置や携帯電話、スマートフォン、タブレット端末等の電子機器であってもよい。
【符号の説明】
【００３８】
１  カメラ本体
２ａ  正面カバー
４  上面カバー
５  無線通信モジュール
７  無線通信回路部
８  メイン基板
１０  チップアンテナ
２０  リブ
２１  固定部材
２２  リブ
【図１】
2014127736.tif 000003
【図２】
2014127736.tif 000004
【図３】
2014127736.tif 000005
【図４】
2014127736.tif 000006